(57)【要約】【課題】吸引効率を確保しつつ、重量バランスを取り、小型化が可能な電気掃除機を提供する。【解決手段】電気掃除機VCは、電動送風機３と、集塵部２と、を備える。集塵部２は、電動送風機３の動作により吸い込まれた含塵空気から塵埃の少なくとも一部を遠心分離する。電動送風機３と集塵部２とは、互いの軸方向が平行で、かつ、互いの中心軸34，21がずれて配置されている。集塵部２の軸方向の投影PR内に電動送風機３の少なくとも一部が位置している。【選択図】図１
2020192244.tif 000002
【特許請求の範囲】
【請求項１】
電動送風機と、
この電動送風機の動作により吸い込まれた含塵空気から塵埃の少なくとも一部を遠心分離する集塵部と、を備え、
前記電動送風機と前記集塵部とは、互いの軸方向が平行で、かつ、互いの中心軸がずれて配置されており、
前記電動送風機の少なくとも一部は、前記集塵部の軸方向の投影内に位置する
ことを特徴とする電気掃除機。
【請求項２】
前記電動送風機は、中心軸が前記集塵部の軸方向の投影内に位置するように配置されている
ことを特徴とする請求項１記載の電気掃除機。
【請求項３】
前記電動送風機は、全体が前記集塵部の軸方向の投影内に位置するように配置されている
ことを特徴とする請求項２記載の電気掃除機。
【請求項４】
前記電動送風機に給電する電池を備え、
前記電池の少なくとも一部は、前記集塵部の中心軸を基準にして前記電動送風機の中心軸とは反対側の位置で、前記集塵部の軸方向の投影内に配置されている
ことを特徴とする請求項１ないし３いずれか一記載の電気掃除機。
【請求項５】
前記電池は、その長手方向が前記電動送風機の軸方向に対し平行に配置されている
ことを特徴とする請求項１ないし４いずれか一記載の電気掃除機。
【請求項６】
前記電動送風機と前記電池とは、前記集塵部の軸方向と交差する方向で互いにオーバーラップする位置に配置されている
ことを特徴とする請求項４又は５記載の電気掃除機。
【請求項７】
掃除操作用の把持部を備え、
前記把持部は、前記電動送風機と前記集塵部とに跨る位置に配置されている
ことを特徴とする請求項１ないし６いずれか一記載の電気掃除機。
【請求項８】
前記集塵部に対し上流側に連通する本体吸込口を備え、
前記本体吸込口は、前記把持部の一端側に位置し、その中心軸が前記把持部とは反対側の位置で前記集塵部の中心軸に対し交差するように配置されている
ことを特徴とする請求項７記載の電気掃除機。
【発明の詳細な説明】
【技術分野】
【０００１】
本発明の実施形態は、電動送風機と集塵部とを備える電気掃除機に関する。
【背景技術】
【０００２】
スティック型の電気掃除機は、掃除機本体に設けられた把持部を使用者が把持して使用する。掃除機本体には、電動送風機、電池、集塵部等の重量物が配置されている。従来、集塵部と電動送風機とを上下に並んで配置するとともに、集塵部の軸方向に対して電動送風機の軸方向を傾けることで、重量バランスを取るものがある。しかしながら、この配置の場合には、集塵部から電動送風機に吸い込まれる風路が複雑に屈曲することから、吸引効率を向上することが容易でない。吸引効率を向上する場合、集塵部と電動送風機とを同軸上に配置し、風路を直線に近づけることが好ましい。しかしながら、この配置の場合には、重量物が長手方向に延びて配置されることから、重量バランスが悪く、小型化が容易でない。
【先行技術文献】
【特許文献】
【０００３】
【特許文献１】登録実用新案第３２０９６３１号公報
【発明の概要】
【発明が解決しようとする課題】
【０００４】
本発明が解決しようとする課題は、吸引効率を確保しつつ、重量バランスを取り、小型化が可能な電気掃除機を提供することである。
【課題を解決するための手段】
【０００５】
実施形態の電気掃除機は、電動送風機と、集塵部と、を備える。集塵部は、電動送風機の動作により吸い込まれた含塵空気から塵埃の少なくとも一部を遠心分離する。電動送風機と集塵部とは、互いの軸方向が平行で、かつ、互いの中心軸がずれて配置されている。集塵部の軸方向の投影内に電動送風機の少なくとも一部が位置している。
【図面の簡単な説明】
【０００６】
【図１】一実施形態の電気掃除機を示す断面図である。
【図２】同上電気掃除機を一端部側から示す正面図である。
【図３】同上電気掃除機を示す平面図である。
【図４】同上電気掃除機を示す斜視図である。
【発明を実施するための形態】
【０００７】
以下、一実施形態について図面を参照して説明する。
【０００８】
図４において、VCは電気掃除機である。電気掃除機VCは、使用者が把持して動作させ、被掃除面上の塵埃を掃除する。本実施形態では、電気掃除機VCとして、スティック型のコードレス電気掃除機を例に挙げて説明する。以下、説明をより明確にするために、使用者が電気掃除機VCを把持した状態で、使用者から遠い側の端部を一端部、使用者に近い側の端部を他端部とする。スティック型の電気掃除機VCは、一端部から他端部に亘り長手状に形成されている。以下、両端方向又は長手方向を第一方向とする。また、第一方向に対して直交する両側方向又は幅方向を第二方向とする。さらに、第一方向及び第二方向に対して直交する方向を第三方向とする。図４等において、第一方向の一方又は一端側を矢印D1aで示し、第一方向の他方又は他端側を矢印D1bで示す。また、第二方向の一方を矢印D2aで示し、第二方向の他方を矢印D2bで示す。また、第三方向の一方を矢印D3aで示し、第三方向の他方を矢印D3bで示す。
【０００９】
図１に示すように、電気掃除機VCは、掃除機本体１を備えている。掃除機本体１は、吸込部10を備えている。吸込部10は、延長管や吸込口体等の風路体が接続可能な部分である。吸込部10は、掃除機本体１の一端部に位置している。吸込部10は、筒状に形成されている。吸込部10は、第一方向の一方に向かい、第三方向の他方へと傾斜している。また、吸込部10の一端部又は先端部には、本体吸込口101が形成されている。本体吸込口101は、掃除機本体１の最先端に位置する。本体吸込口101は、第一方向の一方に向かい、第三方向の他方へと傾斜する方向に開口されている。吸込部10の内部には、本体吸込口101と連通して吸込風路102が形成されている。吸込風路102の上流端が本体吸込口101となっている。また、吸込風路102の下流端は、接続開口部103となっている。接続開口部103は、集塵部２と接続される。
【００１０】
また、掃除機本体１は、筐体12を備えている。筐体12は、掃除機本体１の他端部に位置している。筐体12は、第一方向に沿って形成されている。筐体12は、吸込部10に対して、第一方向の他方側、かつ、第三方向の他方側に離れて位置している。筐体12の第一方向の一方側、かつ、吸込部10の第三方向の他方側に集塵部２が取り付けられる。また、筐体12には、電動送風機３、電池４、及び、制御手段５が配置される。さらに、筐体12の一端部又は先端部には、接続口121が形成されている。接続口121は、第一方向に沿って開口されている。接続口121は、集塵部２と接続される。筐体12の内部には、接続口121と連通して風路部122が形成されている。風路部122の上流端が接続口121となっている。風路部122に電動送風機３が配置される。また、風路部122の下流端は、図３に示す本体排気口123となっている。
【００１１】
さらに、図１に示すように、掃除機本体１は、掃除操作用の把持部14を備えている。把持部14は、吸込部10から筐体12に亘り形成されている。本実施形態において、把持部14は、一端側が吸込部10に接続されている。また、把持部14は、他端側が筐体12に接続されている。把持部14は、電動送風機３と集塵部２とに跨る位置に配置されている。本実施形態において、把持部14は、電動送風機３と集塵部２及び電池４とに跨る位置に配置されている。把持部14の一端側は、吸込部10と連なっている。把持部14の他端側には、電動送風機３が位置する。また、把持部14は、第一方向に沿って長手状に延びている。把持部14には、電動送風機３等の動作を設定する設定手段141が配置されている。設定手段141は、制御手段５に対し、設定に応じた信号を送出する。
【００１２】
掃除機本体１には、集塵部２が着脱可能に取り付けられる。集塵部２は、電動送風機３の動作により吸い込まれた含塵空気から塵埃を分離捕集する。集塵部２は、重量物である。また、集塵部２は、遠心分離部を備え、吸い込まれた含塵空気を旋回させて塵埃の少なくとも一部を遠心分離する。集塵部２は、円筒状に形成されている。集塵部２は、軸方向を第一方向に沿わせて配置されている。集塵部２は、掃除機本体１に取り付けられた状態で、軸方向の一端側が第一方向の一方側に位置し、軸方向の他端側が第一方向の他方側に位置する。また、集塵部２は、掃除機本体１に取り付けられた状態で、掃除機本体１の吸込部10に対し第三方向の他方側に位置し、筐体12に対し第一方向の一方側に位置している。集塵部２の中心軸21は、遠心分離部の旋回の中心軸、又は、円弧状に複数配置された遠心分離部の配置の中心軸とする。集塵部２は、掃除機本体１に取り付けられた状態で、中心軸21が本体吸込口101の中心軸105と交差する。集塵部２は、掃除機本体１に取り付けられた状態で、中心軸21が、把持部14とは反対側の位置で本体吸込口101の中心軸105と交差する。つまり、集塵部２の中心軸21は、第一方向の一方側に延ばした位置で、本体吸込口101の中心軸105と交差する。
【００１３】
また、集塵部２は、含塵空気を集塵部２の内部に吸い込む導入口23を備えている。導入口23は、集塵部２の軸方向に対し交差する方向に含塵空気を吸い込む。導入口23は、集塵部２の一端側に配置されている。導入口23は、集塵部２が掃除機本体１に取り付けられた状態で第三方向に沿って開口される。導入口23は、吸込風路102の下流側に接続される。導入口23は、接続開口部103と接続される。つまり、集塵部２の上流側に本体吸込口101が連通される。
【００１４】
さらに、集塵部２は、塵埃が分離された排気を集塵部２から排出する排気口24を備えている。排気口24は、集塵部２の軸方向に沿って空気を排出する。排気口24は、集塵部２の他端側に配置されている。排気口24は、集塵部２が掃除機本体１に取り付けられた状態で第一方向に沿って開口される。排気口24は、接続口121と接続される。つまり、集塵部２の下流側に風路部122が連通される。集塵部２の下流側は、電動送風機３の吸込側に接続される。
【００１５】
本実施形態において、集塵部２は、塵埃を溜める容器であるカップ部26を備えている。また、集塵部２は、カップ部26に取り付けられる取付部27を備えている。カップ部26と取付部27とは、集塵部２の軸方向に互いに着脱される。カップ部26は、集塵部２の一端部を構成する。取付部27は、集塵部２の他端部を構成する。カップ部26の側面に導入口23が形成されている。取付部27のカップ部26とは反対側の端部に排気口24が形成されている。
【００１６】
さらに、本実施形態において、集塵部２は、掃除機本体１に取り付けられた状態で、一端部が本体吸込口101に対し把持部14側にある。
【００１７】
掃除機本体１には、電動送風機３が収容されている。電動送風機３は、重量物である。本実施形態において、電動送風機３は、集塵部２よりも軽量となっている。電動送風機３は、吸込側が接続口121と連通し、排気側が図３に示す本体排気口123と連通する。また、図１に示すように、電動送風機３は、電動部31を備えている。さらに、電動送風機３は、電動部31により回転されるファン32を備えている。電動送風機３は、吸い込んだ空気を、電動部31を通して図３に示す本体排気口123から排出するようになっている。図１に示すファン32は、電動部31に対し、上流側にあってもよいし、下流側にあってもよい。
【００１８】
電動送風機３は、軸方向を第一方向に沿わせて配置されている。第一方向は、図１の左右方向である。電動送風機３の軸方向は、集塵部２の軸方向と平行となっている。なお、以下、「平行」とは、完全に平行なもののみに限られず、実質的に平行なものも含むものとする。電動送風機３の中心軸34は、電動部31又はファン32の回転軸の中心である。電動送風機３の中心軸34は、集塵部２の中心軸21とずれて位置している。本実施形態において、電動送風機３の中心軸34は、集塵部２の中心軸21に対し第三方向の一方側にずれている。第三方向は、図１の上下方向であり、第三方向の一方側は、図１の上方向である。図示される例では、電動送風機３の中心軸34は、集塵部２の中心軸21に対して把持部14側にずれている。また、電動送風機３は、集塵部２の軸方向の投影PR内に少なくとも一部が位置するように配置されている。好ましくは、電動送風機３は、集塵部２の軸方向の投影PR内に全部が位置するように配置されている。図示される例では、電動送風機３は、集塵部２の中心軸21と一部が重なって配置されている。集塵部２の軸方向の投影PRとは、集塵部２を軸方向に見た状態での最外部の範囲を、集塵部２の軸方向に沿って延ばした領域をいう。なお、電動送風機３の中心軸34は、集塵部２の中心軸21に対し、図３等に示す第二方向にずれていてもよい。
【００１９】
図１に示すように、掃除機本体１には、電池４が収容されている。電池４は、その少なくとも一部が、集塵部２の中心軸21を基準にして電動送風機３の中心軸34とは反対側の位置に配置されている。つまり、電池４の少なくとも一部は、集塵部２の他端部側に対向する位置に、電動送風機３のずれ方向とは反対方向に生じる空間に配置されている。図２に示すように、本実施形態において、電動送風機３の中心軸34が集塵部２の中心軸21に対し第三方向の一方側にずれているため、電池４の少なくとも一部は、集塵部２の中心軸21に対し第三方向の他方側にずれて配置されている。
【００２０】
また、図１に示すように、電池４と電動送風機３とは、集塵部２の軸方向と交差する方向で互いにオーバーラップする位置に配置されている。つまり、電池４と電動送風機３とは、集塵部２の軸方向と交差する方向に見て、所定範囲で互いに重なっている。本実施形態において、電池４と電動送風機３とは、第三方向で互いにオーバーラップする位置に配置されている。さらに、電池４と電動送風機３とは、把持部14に対し、集塵部２の軸方向と交差する方向でオーバーラップする位置に配置されている。本実施形態において、第三方向の他方に向かい、把持部14、電動送風機３、電池４の順に並んで配置されている。
【００２１】
また、電池４は、少なくとも一部が集塵部２の軸方向の投影PR内に配置されている。電池４は、風路部122の外壁と隣り合って、又は、風路部122の外壁に近接して配置されている。本実施形態では、電池４は、集塵部２の中心軸21に対し離れて位置している。図示される例では、電池４は、集塵部２の中心軸21に対し第三方向の他方側に離れて位置している。
【００２２】
電池４は、長手方向を第一方向に沿わせて配置されている。つまり、電池４の長手方向は、集塵部２の軸方向と平行となっている。
【００２３】
また、本実施形態において、図３に示すように、電池４、電動送風機３、及び、集塵部２は、第二方向にずれずに位置している。
【００２４】
本実施形態において、電池４は、集塵部２及び電動送風機３よりも重量が大きい重量物である。電池４は、複数のセルが電気的に直列に接続されて構成された電池パックである。電池４は、充電可能な二次電池が好適に用いられる。
【００２５】
図１に示すように、掃除機本体１には、制御手段５が収容されている。制御手段５は、任意の位置に配置されてよいが、本実施形態では、電動送風機３に対し、集塵部２とは反対側に配置されている。つまり、制御手段５は、電動送風機３に対し、第一方向の他方側に配置されている。制御手段５は、電動送風機３から図３に示す本体排気口123への排気風により冷却される位置に配置されている。
【００２６】
次に、一実施形態の動作を説明する。
【００２７】
図１に示すように集塵部２を掃除機本体１に取り付けると、本体吸込口101が集塵部２の吸込側に連通し、電動送風機３の吸込側が集塵部２の排気側に連通することで、本体吸込口101から集塵部２、電動送風機３、図３に示す本体排気口123に至る風路が形成される。
【００２８】
本実施形態では、図１に示すように、集塵部２を掃除機本体１に取り付けると、集塵部２の導入口23が掃除機本体１の接続開口部103に接続されて集塵部２の吸込側が吸込風路102と連通され、集塵部２の排気口24が掃除機本体１の接続口121に接続されて集塵部２の排気側が風路部122と連通される。
【００２９】
使用者が把持部14を把持し、設定手段141を操作すると、設定手段141の操作に応じて制御手段５が電動送風機３を動作させる。電動送風機３の動作により生じた負圧が本体吸込口101を介して作用することで被掃除面から含塵空気を集塵部２に吸い込む。
【００３０】
下方の被掃除面を掃除する場合、把持部14を把持した使用者から見て、第一方向の一方側が前側、他方側が後側、第二方向の一方側が左側、他方側が右側、第三方向の一方側が上側、他方側が下側となる。使用者は、把持部14によって電気掃除機VCを前後に移動させながら、本体吸込口101、又は、本体吸込口101に接続された風路体によって被掃除面の塵埃を吸い込ませる。
【００３１】
集塵部２で塵埃が分離捕集された空気は、電動送風機３に吸い込まれ、図３に示す本体排気口123から排気風として排出される。電動送風機３の排気にしたがい、電池４の熱が電池４の全体から吸引されて本体排気口123から掃除機本体１の外部に排気風とともに排出され、電池４が冷却される。
【００３２】
このとき、電動送風機３と集塵部２との互いの軸方向が平行で、かつ、互いの中心軸34，21をずらして配置するとともに、電動送風機３の少なくとも一部を集塵部２の軸方向の投影PR内に位置させていることで、集塵部２から電動送風機３への吸引効率を大きく低下させることなく、集塵部２に対する電動送風機３のずれ方向とは反対側に空間を形成して配置効率を高めることができ、電気掃除機VCの小型化が可能になる。
【００３３】
電動送風機３の中心軸34が集塵部２の軸方向の投影PR内に位置するように配置することで、集塵部２から電動送風機３への吸引効率の低下をより抑制し、性能を維持できる。
【００３４】
電動送風機３の全体を集塵部２の軸方向の投影PR内に位置するように配置することで、電気掃除機VCのより一層の小型化が可能になる。
【００３５】
電池４の少なくとも一部を、集塵部２の中心軸21を基準にして電動送風機３の中心軸34とは反対側の位置で集塵部２の軸方向の投影PR内に配置することで、集塵部２に対する電動送風機３のずれ方向とは反対側の空間を利用し、電気掃除機VCの小型化が可能になる。
【００３６】
特に、掃除機本体１の内部に電動送風機３及び電池４を収容する場合、掃除機本体１の内部の限られた空間を有効に使うことができ、電気掃除機VCの小型化が可能になる。
【００３７】
電池４の長手方向を電動送風機３の軸方向に対し平行に配置することで、電動送風機３と電池４とをコンパクトに配置できるとともに、電池４からの発熱を電動送風機３によって容易に本体排気口123から排出可能になる。
【００３８】
電動送風機３と電池４とを集塵部２の軸方向と交差する方向で互いにオーバーラップする位置に配置することで、掃除機本体１を第一方向に長くすることなく電動送風機３と電池４とを配置可能となり、電気掃除機VCの小型化が可能になる。
【００３９】
特に、把持部14を把持した状態で下方の被掃除面を掃除する場合、電動送風機３が電池４の上方に位置するため、電池４の発熱により暖まった空気が電動送風機３の方へと上昇するので、電動送風機３が排気風とともに電池４の熱を掃除機本体１から排出できる。
【００４０】
把持部14を電動送風機３と集塵部２とに跨る位置に配置することで、把持部14を把持した状態で電動送風機３と集塵部２とがバラストとして作用し、重量バランスが取りやすくなって、電気掃除機VCの操作性を向上できる。本実施形態では、把持部14を電動送風機３と集塵部２及び電池４とに跨る位置に配置することで、把持部14を把持した状態で電動送風機３と集塵部２及び電池４とがバラストとして作用し、より重量バランスが取りやすくなって、電気掃除機VCの操作性を向上できる。
【００４１】
本体吸込口101が把持部14の一端側に位置し、その中心軸105が把持部14とは反対側の位置で集塵部２の中心軸21に対し交差するように配置することで、把持部14を把持して下方の被掃除面を掃除する際に、把持部14を把持した手を大きく傾けることなく本体吸込口101を被掃除面側に向けることができる。そのため、把持部14の下方に重量物である集塵部２、電動送風機３、及び、電池４が位置する位置関係を維持した状態で、つまり重量バランスが取れた状態で、下方の被掃除面を掃除する操作が可能となり、電気掃除機VCの操作性が良好となる。
【００４２】
また、把持部14を把持した状態で下方の被掃除面を掃除する場合、本体排気口123が掃除機本体１の上部側に位置して被掃除面に直接対向しないため、電動送風機３からの排気風が掃除機本体１の下方に出ない。したがって、特に風路体を使用せずに掃除機本体１のみで掃除をする際に、掃除機本体１が被掃除面に接近していても、排気風によって被掃除面の塵埃を吹き飛ばしにくい。
【００４３】
本発明のいくつかの実施形態を説明したが、これらの実施形態は、例として提示したものであり、発明の範囲をこれらの実施形態に限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
PR    投影
VC    電気掃除機
２    集塵部
３    電動送風機
４    電池
14    把持部
21，34，105   中心軸
101   本体吸込口
【図１】
2020192244.tif 000003
【図２】
2020192244.tif 000004
【図３】
2020192244.tif 000005
【図４】
2020192244.tif 000006